(57)【特許請求の範囲】
【請求項１】
可撓性を有し画像光が投影されるスクリーン本体と、
前記スクリーン本体における鉛直方向に交差する両端部のいずれか一方の端部を支持し前記スクリーン本体を巻き取るスクリーン巻取部、および前記スクリーン巻取部を支持する基体を有する第１支持部材と、
前記両端部のいずれか他方の端部を支持する第２支持部材と、
前記基体に立設される支柱と、
前記支柱に取り付けられ、前記第２支持部材を保持する保持フックとを備え、
前記保持フックは、
前記第２支持部材を保持して前記支柱に沿って移動するフック本体と、
前記フック本体に支持され、前記支柱に当接して前記支柱に対して前記フック本体を係止する係止位置、および非係止位置間を移動する係止部材と、
前記係止部材を前記係止位置に向けて付勢する付勢部材と、
前記付勢部材による付勢力に抗して前記係止部材を前記非係止位置に移動させる係止解除部材とを備え、
前記フック本体は、
前記支柱が挿通される孔を有する挿通部と、
前記孔に連通する空間を有し、前記係止部材、前記付勢部材、および前記係止解除部材を収納保持する部材収納部とを備え、
前記部材収納部には、前記孔に挿通される支柱に対向する側面に、前記付勢部材による付勢方向に沿って前記支柱に近接し、前記係止部材が前記係止位置に移動した際に当接する傾斜面が形成されている
ことを特徴とするスクリーン。
【請求項２】
請求項１に記載のスクリーンにおいて、
前記係止部材は、円柱形状を有し、外周面が前記支柱および前記傾斜面に対向する状態で前記部材収納部に収納されている
ことを特徴とするスクリーン。
【請求項３】
請求項１または請求項２に記載のスクリーンにおいて、
前記第２支持部材は、前記スクリーン本体の上端部を支持し、
前記係止解除部材は、前記フック本体の上方側に設けられている
ことを特徴とするスクリーン。
【発明の詳細な説明】
【技術分野】
【０００１】
本発明は、スクリーンに関する。
【背景技術】
【０００２】
従来、可撓性を有するシート状のスクリーン本体を備え、プロジェクタ等から拡大投射された画像光がスクリーン本体のスクリーン面（投影面）に投影される種々のスクリーンが提案されている（例えば、特許文献１参照）。
特許文献１に記載のスクリーンは、スクリーン本体を、収納時には巻き取った状態とし、スクリーンの使用時に引き出してスクリーン面を形成する可搬式スクリーンで構成されている。より具体的に、特許文献１に記載の可搬式スクリーンは、ケーシングと、ケーシングに取り付けられスクリーン本体を巻き取り可能とするスプリングロールと、スクリーン本体の一端に固着されるトップバーと、ケーシングに一端が支持され、引き出したスクリーン本体を展張状態に保持する伸縮可能な支柱とを備える。そして、トップバーに設けられたハンドル部を支柱の先端に設けられたフック部に掛止することで、スクリーン本体の引き出し状態を維持する。
【０００３】
【特許文献１】国際公開ＷＯ２００５／０４３２３５
【発明の開示】
【発明が解決しようとする課題】
【０００４】
ところで、特許文献１に記載の可搬式スクリーンでは、支柱を伸縮可能に構成し、ハンドル部がフック部に掛止された状態で支柱を伸縮させることで、スクリーン本体の上下方向の引き出し量を調整するものである。このような構成では、支柱がスクリーン（スクリーン本体）の背面側に配設されているため、スクリーンを利用する利用者は、スクリーンの設置時において、スクリーン本体の上下方向の引き出し量を調整する際、スクリーンの背面側に回り込む必要がある。このため、利便性の向上が図れない。
【０００５】
本発明の目的は、利便性の向上が図れるスクリーンを提供することにある。
【課題を解決するための手段】
【０００６】
本発明のスクリーンは、可撓性を有し画像光が投影されるスクリーン本体と、前記スクリーン本体における鉛直方向に交差する両端部のいずれか一方の端部を支持し前記スクリーン本体を巻き取るスクリーン巻取部、および前記スクリーン巻取部を支持する基体を有する第１支持部材と、前記両端部のいずれか他方の端部を支持する第２支持部材と、前記基体に立設される支柱と、前記支柱に取り付けられ、前記第２支持部材を保持する保持フックとを備え、前記保持フックは、前記第２支持部材を保持して前記支柱に沿って移動するフック本体と、前記フック本体に支持され、前記支柱に当接して前記支柱に対して前記フック本体を係止する係止位置、および非係止位置間を移動する係止部材と、前記係止部材を前記係止位置に向けて付勢する付勢部材と、前記付勢部材による付勢力に抗して前記係止部材を前記非係止位置に移動させる係止解除部材とを備え、前記フック本体は、前記支柱が挿通される孔を有する挿通部と、前記孔に連通する空間を有し、前記係止部材、前記付勢部材、および前記係止解除部材を収納保持する部材収納部とを備え、前記部材収納部には、前記孔に挿通される支柱に対向する側面に、前記付勢部材による付勢方向に沿って前記支柱に近接し、前記係止部材が前記係止位置に移動した際に当接する傾斜面が形成されていることを特徴とする。
【０００７】
ここで、第１支持部材および第２支持部材としては、スクリーン本体の上下方向の両端部をそれぞれ支持する構成であればよい。すなわち、第１支持部材がスクリーン本体の下端部を支持し、第２支持部材がスクリーン本体の上端部を支持する構成としてもよく、第１支持部材がスクリーン本体の上端部を支持し、第２支持部材がスクリーン本体の下端部を支持する構成としてもよい。
以下では、説明を簡略化するために、第１支持部材がスクリーン本体の下端部を支持し、第２支持部材がスクリーン本体の上端部を支持する構成として説明する。
【０００８】
本発明では、スクリーンは、スクリーン巻取部および基体を有する第１支持部材と、第２支持部材と、支柱と、保持フックとを備える。そして、保持フックは、支柱に取り付けられ、第２支持部材を保持して支柱に沿って移動する。すなわち、第２支持部材を保持フックに保持させた状態で保持フックを支柱に沿って移動させることで、スクリーン本体の上下方向の引き出し量を調整するものである。ここで、保持フックは、スクリーン本体の上端部を支持する第２支持部材を保持する構成である。すなわち、スクリーンの前面側から、スクリーン本体に遮られることなく、保持フックを操作可能な構成である。このことにより、スクリーンを利用する利用者は、スクリーンの設置時において、スクリーン本体の上下方向の引き出し量を調整する際、スクリーンの背面側に回り込む必要がなく、スクリーンの前面側から保持フックを把持して支柱に沿って移動させることができる。このため、利便性の向上が図れる。
【０００９】
また、保持フックは、フック本体、係止部材、付勢部材、および係止解除部材を備えている。このことにより、利用者により保持フックが操作されていない状態、すなわち、係止解除部材が操作されていない状態では、付勢部材による付勢力により係止部材が係止位置に位置付けられ、支柱に対してフック本体が係止された状態（保持フックの上下方向への移動が規制されたロック状態）となる。そして、利用者により係止解除部材が操作された状態では、付勢部材による付勢力に抗して係止部材が非係止位置に位置付けられ、支柱に対して保持フックを上下方向へと移動可能な状態（ロック解除状態）となる。このため、利用者は、係止解除部材を操作した状態を維持しつつ保持フックを支柱に沿って移動させることでスクリーン本体の上下方向の引き出し量を調整でき、係止解除部材の操作を止めることで上述したロック状態に設定し、スクリーン本体の引き出し状態を維持させることができる。したがって、保持フック（係止解除部材）への簡単な操作により、スクリーン本体の上下方向の引き出し量を調整でき、かつ、スクリーン本体の引き出し状態を良好に維持できる。
【００１０】
また、本発明では、フック本体は、挿通部および部材収納部を備える。さらに、部材収納部には、挿通部における孔に挿通された支柱に対向する側面に傾斜面が形成されている。すなわち、部材収納部の空間は、付勢部材による付勢方向に沿って孔に挿通された支柱と傾斜面との離間寸法が次第に狭くなるように形成されている。そして、係止部材は、付勢部材による付勢力により係止位置に位置付けられた状態では、部材収納部の空間において、支柱と傾斜面との離間寸法が小さい場所に入り込むこととなり、支柱と傾斜面とに密着し、支柱および傾斜面との摩擦力によって、上述したロック状態に設定する。また、係止部材は、利用者による係止解除部材の操作により非係止位置に位置付けられた状態では、部材収納部の空間において、支柱と傾斜面との離間寸法が大きい場所に移動することとなり、支柱と傾斜面との密着状態が解除され支柱および傾斜面との摩擦がなくなり、上述したロック解除状態に設定する。したがって、ロック状態およびロック解除状態を簡素な構造で実現できる。
【００１１】
本発明のスクリーンでは、前記係止部材は、円柱形状を有し、外周面が前記支柱および前記傾斜面に対向する状態で前記部材収納部に収納されていることが好ましい。
本発明によれば、係止部材が円柱形状を有し、上述したように部材収納部に収納されているので、ロック解除状態において、保持フックを支柱に沿って移動させた際に、係止部材が転動することとなり、保持フックの移動、すなわち、スクリーン本体の上下方向の引き出し量の調整を円滑に実施できる。
【００１２】
本発明のスクリーンでは、前記第２支持部材は、前記スクリーン本体の上端部を支持し、前記係止解除部材は、前記フック本体の上方側に設けられていることが好ましい。
本発明では、スクリーンは、第１支持部材がスクリーン本体の下端部を支持し、第２支持部材がスクリーン本体の上端部を支持し、スクリーン本体を引き上げる引上型のスクリーンで構成されている。そして、係止解除部材は、フック本体の上方側に設けられている。このことにより、利用者は、スクリーンの前面側から保持フックを把持して支柱に沿って移動させる際に、係止解除部材を操作しやすいものとなる。したがって、利便性のさらなる向上が図れる。
【発明を実施するための最良の形態】
【００１３】
以下、本発明の実施の一形態を図面に基づいて説明する。
〔スクリーンの概略構成〕
図１は、スクリーン１の概略構成を模式的に示す図である。具体的に、図１は、スクリーン本体２を基部３から引き出した状態を、スクリーン本体２の背面側から見た斜視図である。
スクリーン１は、例えば、プロジェクタ等から拡大投射された画像光が投影される。このスクリーン１は、図１に示すように、スクリーン本体２と、第１支持部材としての基部３と、第２支持部材としての引上部材４と、支柱５と、保持フック６等を備える。
【００１４】
スクリーン本体２は、可撓性を有するシート状に形成され、入射した画像光が投影される。本実施形態では、スクリーン本体２は、入射した画像光を反射して表示する反射型スクリーンとして構成されている。
【００１５】
基部３は、床等に設置されスクリーン１全体を支持する部分であり、矩形形状を有するスクリーン本体２の下端部に沿って延出する。この基部３は、図１に示すように、基体３１と、スクリーン巻取部としてのスプリングロール３２等を備える。
基体３１は、箱状に形成され、内部にスプリングロール３２を回動可能に収納する。
この基体３１において、上端面には、図１に示すように、内外にスクリーン本体２を挿通させるための挿通孔３１１が形成されている。
スプリングロール３２は、スクリーン本体２の左右方向を回動軸として回動可能とし、スクリーン本体２を巻き取る部材である。このスプリングロール３２は、具体的な図示は省略したが、スプリングによりスクリーン本体２の巻き取り方向に付勢され、スクリーン本体２の引き出し力を弛めると自動的にスクリーン本体２を巻き取る機能を有している。
【００１６】
引上部材４は、スクリーン本体２の上端部に沿って延出し、スクリーン本体２の上端部を支持する部分である。
この引上部材４において、上端部の左右方向略中心位置には、図１に示すように、保持フック６に引っ掛けるための引っ掛け金具４１が設けられている。
【００１７】
支柱５は、略円柱形状を有し、柱状軸が略鉛直方向に沿うように基体３１の上端面に対して取付自在に構成されている。そして、支柱５は、引上部材４および保持フック６を介して、スプリングロール３２から引き出されたスクリーン本体２を支持する。
【００１８】
図２および図３は、保持フック６の構造を示す図である。具体的に、図２は、保持フック６の外観を示す斜視図である。図３は、蓋体６１４を外した保持フック６の内部構造を示す図である。
保持フック６は、支柱５に対して上下方向に移動可能に取り付けられ、引っ掛け金具４１が引っ掛けられた状態で上下方向に移動することで、引上部材４を基部３に対して近接隔離する。この保持フック６は、図２または図３に示すように、フック本体６１と、係止部材６２（図３）と、付勢部材６３（図３）と、係止解除部材６４とを備える。
【００１９】
フック本体６１は、図２または図３に示すように、挿通部６１１と部材収納部６１２とが一体的に形成された成型品である。
挿通部６１１は、図２または図３に示すように、孔６１１１を有する略円筒形状を有し、孔６１１１に支柱５が挿通されることで、保持フック６が支柱５に対して上下方向に移動可能に取り付けられる。
部材収納部６１２は、図２または図３に示すように、挿通部６１１の外周面に一体的に形成され、挿通部６１１の外周面に沿って延出するとともに、上方側がスクリーン１の前面側に向けて突出する平面視略Ｌ字形状を有する。そして、部材収納部６１２は、箱状に形成され、内部にて係止部材６２、付勢部材６３、および係止解除部材６４を収納保持する。この部材収納部６１２は、挿通部６１１の筒状軸および該筒状軸に直交する軸を通る平面にて２体に分割形成され、収納部本体６１３と、蓋体６１４とで構成される。
【００２０】
収納部本体６１３および蓋体６１４において、スクリーン１の前面側に向けて突出する上方側の外面には、図２または図３に示すように、断面略円弧形状を有し、スクリーン本体２の左右方向に延びる凹部６１２Ａ（図３），６１２Ｂがそれぞれ形成されている。これら凹部６１２Ａ，６１２Ｂは、引上部材４の引っ掛け金具４１が引っ掛けられる部分である。
また、収納部本体６１３および蓋体６１４において、凹部６１２Ａ，６１２Ｂと挿通部６１１との間には、図２または図３に示すように、互いに接続することで円孔６１２Ｃとなる円弧状の切り欠き６１２Ｃ１（図３），６１２Ｃ２（図２）がそれぞれ形成されている。この円孔６１２Ｃは、係止解除部材６４の一部を外部に露出させる部分である。
【００２１】
以下、収納部本体６１３における内面の構造を説明する。なお、蓋体６１４における内面の構造は、収納部本体６１３の内面の構造と略同様であるため、説明を省略する。
収納部本体６１３の内面には、蓋体６１４が取り付けられることで、図３に示すように、挿通部６１１に近接する位置に、上方側から下方側にかけて順に係止解除部材６４、係止部材６２、および付勢部材６３をそれぞれ収納する第１収納部６１５、第２収納部６１６、および第３収納部６１７が形成されている。
第１収納部６１５は、図３に示すように、円孔６１２Ｃを介して外部と連通し上下方向に延びる略円柱状の空間Ａを有し、該空間Ａに係止解除部材６４を収納保持する。
より具体的に、空間Ａは、係止解除部材６４の後述する大径部よりも若干大きい径寸法を有する略円柱形状を有する。
【００２２】
この第１収納部６１５において、上方側および下方側には、図３に示すように、空間Ａの柱状軸に向けて突出し、係止解除部材６４の上下方向の移動を規制する移動規制部６１５１，６１５２がそれぞれ形成されている。
また、この第１収納部６１５において、下方側には、図３に示すように、空間Ａの柱状軸を中心として略円弧形状を有するように突出し、係止解除部材６４の後述する第２コイルばねの一端が接続されるばね接続部６１５３が形成されている。
【００２３】
第２収納部６１６は、図３に示すように、上下方向に延びる略矩形状の連通孔６１６１を介して挿通部６１１の孔６１１１と連通するとともに、空間Ａと連通する断面略台形状の空間Ｂを有し、該空間Ｂに係止部材６２を収納保持する。
より具体的に、空間Ｂは、断面略台形状の上底に相当する長さ寸法が係止部材６２の径寸法よりも小さく、下底に相当する長さ寸法が係止部材６２の径寸法よりも大きく設定されている。
この第２収納部６１６において、連通孔６１６１に対向する側面６１６２は、図３に示すように、上方側に向うにしたがって次第に連通孔６１６１に近接するように形成されている。すなわち、側面６１６２は、本発明に係る傾斜面に相当する。
【００２４】
第３収納部６１７は、図３に示すように、空間Ｂと連通し上下方向に延びる略円柱状の空間Ｃを有し、該空間Ｃに付勢部材６３を収納保持する。
この第３収納部６１７において、上方側には、図３に示すように、空間Ｂの柱状軸に向けて突出し、付勢部材６３の後述する押圧部に当接して、該押圧部の上下方向の移動を案内する移動案内部６１７１が形成されている。
【００２５】
係止部材６２は、空間Ｂにおいて、連通孔６１６１を介して支柱５に当接して支柱５に対してフック本体６１を係止する係止位置Ｐ１（図５参照）、および非係止位置Ｐ２（図５参照）間を移動する。この係止部材６２は、図３に示すように、円柱形状を有し、外周面が支柱５および傾斜面６１６２に対向するように第２収納部６１６に収納される。
【００２６】
付勢部材６３は、係止部材６２に当接し、係止部材６２を係止位置Ｐ１に向けて付勢する。この付勢部材６３は、図３に示すように、第１コイルばね６３１と、押圧部６３２とを備える。
第１コイルばね６３１は、図３に示すように、一般的なコイルばねで構成され、一端が第３収納部６１７の下方側の内側面に接続し、他端が押圧部６３２の下端部に接続する。そして、第１コイルばね６３１は、押圧部６３２（係止部材６２）を上方側に付勢する。
押圧部６３２は、図３に示すように、略Ｌ字形状を有し、Ｌ字形状の垂直部分が移動案内部６１７１に挿通され、Ｌ字形状の水平部分が空間Ｂに位置するように、第３収納部６１７に収納される。そして、押圧部６３２は、Ｌ字形状の水平部分が係止部材６２の外周面に当接し、第１コイルばね６３１の付勢力により、係止部材６２を上方側に押圧する。
【００２７】
係止解除部材６４は、第１コイルばね６３１による付勢力に抗して、係止部材６２を非係止位置Ｐ２に移動させる。この係止解除部材６４は、図３に示すように、第２コイルばね６４１と、操作部６４２とを備える。
第２コイルばね６４１は、第１コイルばね６３１と同様に一般的なコイルばねで構成され、一端が第１収納部６１５のばね接続部６１５３に接続し、他端が操作部６４２の後述する大径部の下端部に接続する。そして、第２コイルばね６４１は、操作部６４２を上方側に付勢する。
操作部６４２は、スクリーン１の利用者により操作される部分である。この操作部６４２は、図３に示すように、操作部本体６４２１と、大径部６４２２と、小径部６４２３とを備える。
【００２８】
操作部本体６４２１は、図３に示すように、上下方向に延びる略円柱形状を有し、円孔６１２Ｃを介してフック本体６１外部に露出し、利用者の手により空間Ａに向けて下方側に押下される部分である。
大径部６４２２は、操作部本体６４２１の径寸法よりも大きい略円柱形状を有し、柱状軸が操作部本体６４２１と略一致した状態で操作部本体６４２１の下端部に一体的に形成されている。
小径部６４２３は、操作部本体６４２１の径寸法よりも小さい略円柱形状を有し、柱状軸が操作部本体６４２１および大径部６４２２と略一致した状態で大径部６４２２の下端部に一体的に形成されている。そして、小径部６４２３は、利用者による操作部本体６４２１の下方側への押下により、下端部が係止部材６２の外周面に当接し、係止部材６２を非係止位置Ｐ２に移動させる。
【００２９】
〔保持フックの動作〕
次に、スクリーン本体２をスプリングロール３２から引き出す動作を説明する。なお、スクリーン１を収納する動作（スクリーン本体２をスプリングロール３２に巻き取らせる動作）については、スクリーン本体２を引き出す動作と略同様であるため、説明を省略する。
図４および図５は、スクリーン本体２をスプリングロール３２から引き出す動作を説明するための図である。具体的に、図４は、スクリーン本体２がスプリングロール３２に巻き取られた状態を示す図である。図５（Ａ）は、係止部材６２が係止位置Ｐ１に位置するロック状態を示す図である。図５（Ｂ）は、係止部材６２が非係止位置Ｐ２に位置するロック解除状態を示す図である。
先ず、図４に示す状態において、利用者により操作部６４２が操作されていない場合には、図５（Ａ）に示すように、付勢部材６３による付勢力により係止部材６２は、上方側に付勢され、係止位置Ｐ１に位置付けられる。すなわち、係止部材６２は、自身の径寸法よりも小さい長さ寸法の空間Ｂの上方側に入り込む。そして、係止部材６２と支柱５および傾斜面６１６２とが密着し、係止部材６２と支柱５および傾斜面６１６２との摩擦力により、支柱５に対してフック本体６１が係止された状態（保持フック６の上下方向への移動が規制されたロック状態）となる。
【００３０】
そして、利用者は、図４に示す状態からスクリーン本体２を引き出す際、保持フック６を把持し、操作部６４２を押下する。このように、操作部６４２が押下された場合には、図５（Ｂ）に示すように、係止解除部材６４の下端部が係止部材６２の外周面に当接し、付勢部材６３による付勢力に抗して係止部材６２が非係止位置Ｐ２に位置付けられる。すなわち、係止部材６２は、自身の径寸法よりも大きい長さ寸法の空間Ｂの下方側に移動する。そして、係止部材６２と支柱５および傾斜面６１６２との密着状態が解除されて係止部材６２と支柱５および傾斜面６１６２との摩擦がなくなり、支柱５に対して保持フック６を上下方向へと移動可能な状態（ロック解除状態）となる。
利用者は、操作部６４２を押下した状態を維持しつつ、保持フック６を把持しながら上方側に移動させる（引上部材４を上方側に移動させる）ことで、スプリングロール３２のスプリングによる付勢力に抗して、スクリーン本体２をスプリングロール３２から引き出す。そして、利用者は、操作部６４２の押下を止めることで、上述したロック状態に設定し、図１に示すように、支柱５に対して保持フック６が係止され、スクリーン本体２の引き出し状態を維持させる。
【００３１】
上述した実施形態においては、以下の効果がある。
本実施形態では、スクリーン１は、基部３と、引上部材４と、支柱５と、保持フック６とを備える。そして、保持フック６は、引上部材４を保持し、支柱５に沿って移動する。すなわち、引上部材４を保持フック６に保持させた状態で保持フック６を支柱に沿って移動させることで、スクリーン本体２の上下方向の引き出し量を調整できる。ここで、保持フック６は、スクリーン本体２の上端部を支持する引上部材４を保持する構成である。すなわち、スクリーン１の前面側から、スクリーン本体２に遮られることなく、保持フック６を操作可能な構成である。このことにより、利用者は、スクリーン１の設置時において、スクリーン本体２の上下方向の引き出し量を調整する際、スクリーン１の背面側に回り込む必要がなく、スクリーン１の前面側から保持フック６を把持して支柱５に沿って移動させることができる。このため、利便性の向上が図れる。
【００３２】
また、保持フック６は、フック本体６１、係止部材６２、付勢部材６３、および係止解除部材６４を備えている。このことにより、利用者により係止解除部材６４が操作されていない状態では、付勢部材６３による付勢力により係止部材６２が係止位置Ｐ１に位置付けられ、ロック状態となる。そして、利用者により係止解除部材６４が操作された状態では、付勢部材６３による付勢力に抗して係止部材６２が非係止位置Ｐ２に位置付けられ、ロック解除状態となる。このため、利用者は、係止解除部材６４を操作した状態を維持しつつ保持フック６を支柱５に沿って移動させることでスクリーン本体２の上下方向の引き出し量を調整でき、係止解除部材６４の操作を止めることでロック状態に設定し、スクリーン本体２の引き出し状態を維持させることができる。したがって、保持フック６（係止解除部材６４）への簡単な操作により、スクリーン本体２の上下方向の引き出し量を調整でき、かつ、スクリーン本体２の引き出し状態を良好に維持できる。
【００３３】
また、フック本体６１は、挿通部６１１および部材収納部６１２を備える。ここで、部材収納部６１２には、挿通部６１１における孔６１１１に挿通された支柱５に対向する側面に傾斜面６１６２が形成されている。すなわち、部材収納部６１２の空間Ｂは、付勢部材６３による付勢方向（上方向）に沿って孔６１１１に挿通された支柱５と傾斜面６１６２との離間寸法が次第に狭くなるように形成されている。そして、係止部材６２は、係止位置Ｐ１に位置付けられた状態では、空間Ｂにおいて、自身の径寸法よりも小さい長さ寸法の上方側に移動し、支柱５および傾斜面６１６２に密着することでロック状態に設定する。また、係止部材６２は、非係止位置Ｐ２に位置付けられた状態では、空間Ｂにおいて、自身の径寸法よりも大きい長さ寸法の下方側に移動し、支柱５および傾斜面６１６２との密着状態が解除されることでロック解除状態に設定する。したがって、ロック状態およびロック解除状態を簡素な構造で実現できる。
【００３４】
さらに、係止部材６２は、円柱形状を有し、外周面が支柱５および傾斜面６１６２に対向するように部材収納部６１２に収納されている。このことにより、ロック解除状態において、保持フック６を支柱５に沿って移動させた際に、係止部材６２が転動することとなり、保持フック６の移動、すなわち、スクリーン本体２の上下方向の引き出し量の調整を円滑に実施できる。
【００３５】
また、係止解除部材６４は、フック本体６１の上方側に設けられている。このことにより、利用者は、スクリーン１の前面側から保持フック６を把持して支柱５に沿って移動させる際に、係止解除部材６４を操作しやすいものとなる。したがって、利便性のさらなる向上が図れる。
【００３６】
なお、本発明は前述の実施形態に限定されるものではなく、本発明の目的を達成できる範囲での変形、改良等は本発明に含まれるものである。
前記実施形態では、基部３がスクリーン本体２の下端部を支持し、引上部材４がスクリーン本体２の上端部を支持し、スクリーン本体２を引き上げる引上型のスクリーン１で構成していたが、これに限らない。例えば、前記実施形態とは逆に、基部３がスクリーン本体２の上端部を支持し、引上部材４がスクリーン本体２の下端部を支持し、スクリーン本体２を引き下げる引下型のスクリーンで構成しても構わない。
【００３７】
前記実施形態において、フック本体６１、係止部材６２、付勢部材６３、および係止解除部材６４の構成は、前記実施形態で説明した構成に限らず、その他の構成を採用しても構わない。
例えば、フック本体６１において、傾斜面６１６２は、上方側に向うにしたがって次第に連通孔６１６１に近接するように形成されていたが、これに限らず、例えば、下方側に向うにしたがって次第に連通孔６１６１に近接するように形成しても構わない。この場合には、係止解除部材６４と付勢部材６３の配設位置を上下逆に設定する。すなわち、係止解除部材６４は、フック本体６１の下方側に設けられることとなる。
【００３８】
また、例えば、係止部材６２は、円柱形状を有していたが、これに限らず、その他の形状で構成しても構わない。
さらに、例えば、係止部材としては支柱に当接して支柱に対してフック本体を係止する係止位置、および非係止位置間を移動する構成とすればよく、付勢部材としては係止部材を係止位置に向けて付勢する構成とすればよく、係止解除部材としては付勢部材による付勢力に抗して係止部材を非係止位置に移動させる構成とすればよく、フック本体としては係止部材、付勢部材、および係止解除部材を支持する構成とすればよいため、フック本体内部に係止部材、付勢部材、および係止解除部材を収納する構成に限らず、フック本体外面にて係止部材、付勢部材、および係止解除部材が支持される構成としても構わない。
【００３９】
前記実施形態では、基部３は、床等に直接、設置される構成としていたが、これに限らず、例えば、三脚等の支持脚を介して床等に設置される構成としても構わない。
【産業上の利用可能性】
【００４０】
本発明のスクリーンは、利便性の向上が図れるため、プロジェクタ等から拡大投射された画像光が投影されるスクリーンとして利用できる。
【図面の簡単な説明】
【００４１】
【図１】本実施形態におけるスクリーンの概略構成を模式的に示す図。
【図２】前記実施形態における保持フックの構造を示す図。
【図３】前記実施形態における保持フックの構造を示す図。
【図４】前記実施形態におけるスクリーン本体をスプリングロールから引き出す動作を説明するための図。
【図５】前記実施形態におけるスクリーン本体をスプリングロールから引き出す動作を説明するための図。
【符号の説明】
【００４２】
１・・・スクリーン、２・・・スクリーン本体、３・・・基部（第１支持部材）、４・・・引上部材（第２支持部材）、５・・・支柱、６・・・保持フック、３１・・・基体、３２・・・スプリングロール（スクリーン巻取部）、６１・・・フック本体、６２・・・係止部材、６３・・・付勢部材、６４・・・係止解除部材、６１１・・・挿通部、６１２・・・部材収納部、６１１１・・・孔、６１６２・・・傾斜面、Ａ〜Ｃ・・・空間、Ｐ１・・・係止位置、Ｐ２・・・非係止位置。
【図１】
0004428426.tif 000002
【図２】
0004428426.tif 000003
【図３】
0004428426.tif 000004
【図４】
0004428426.tif 000005
【図５】
0004428426.tif 000006